(57)【特許請求の範囲】
【請求項１】
情報処理装置であって、
面談制御部と、表示制御部と、を有し、
面談相手の電話番号が入力された場合、前記面談制御部は、面談に関するライブ配信の接続情報を、携帯電話装置に送信し、
前記表示制御部は、
前記接続情報を介して前記面談相手から接続があり、面談主催者と前記面談相手との面談に関するライブ配信の画面を前記携帯電話装置の表示部に表示しようとしている前記携帯電話装置のＷｅｂブラウザが第１のＷｅｂブラウザであった場合、面談に関するライブ配信の画面を表示部に表示すると共に、前記画面を前記携帯電話装置の表示部に表示するよう制御し、
前記接続情報を介して前記面談相手から接続があり、前記Ｗｅｂブラウザが前記第１のＷｅｂブラウザとは異なる第２のＷｅｂブラウザであった場合、所定の検索結果の画面を第１のＷｅｂブラウザで前記携帯電話装置の表示部に表示するよう制御する、
情報処理装置。
【請求項２】
請求項１に記載の情報処理装置において、
前記接続情報を介して前記面談相手から接続があり、前記Ｗｅｂブラウザが前記第１のＷｅｂブラウザとは異なる第２のＷｅｂブラウザであった場合、前記表示制御部は、所定の会社名で検索を行った検索結果の画面を前記第１のＷｅｂブラウザで表示するよう制御する、
情報処理装置。
【請求項３】
請求項２に記載の情報処理装置において、
前記接続情報を介して前記面談相手から接続があり、前記Ｗｅｂブラウザが前記第１のＷｅｂブラウザとは異なる第２のＷｅｂブラウザであった場合、前記表示制御部は、Ｗｅｂブラウザを切り替えるか否かを問い合わせる画面を前記携帯電話装置の表示部に表示するよう制御し、
前記Ｗｅｂブラウザを切り替えるか否かを問い合わせる画面において、Ｗｅｂブラウザを切り替えることが選択され、前記第１のＷｅｂブラウザが選択された場合、前記表示制御部は、所定の会社名で検索を行った検索結果の画面を前記携帯電話装置の表示部に表示するよう制御する、
情報処理装置。
【請求項４】
請求項１から請求項３までの何れか１項に記載の情報処理装置において、
前記表示制御部は、電話番号を入力する入力欄と、前記入力欄に入力された電話番号宛に前記接続情報を送るためのオブジェクトと、を含む画面を前記表示するに表示するよう制御し、
前記画面の前記入力欄に面談相手の電話番号が入力され、前記オブジェクトが選択された場合、前記面談制御部は、面談に関するライブ配信の接続情報を、前記携帯電話装置に送信する、
情報処理装置。
【請求項５】
請求項１から請求項４までの何れか１項に記載の情報処理装置において、
前記面談制御部は、面談に関するライブ配信の接続情報を、ショートメッセージサービスで、携帯電話装置に送信する、
情報処理装置。
【請求項６】
通信部を有する情報処理装置であって、
面談制御部と、表示制御部と、を有し、
前記通信部は、インターネットを介して他の装置と通信可能に構成され、
面談相手の電話番号が入力された場合、前記面談制御部は、面談に関するライブ配信の接続情報を、連携している第１の携帯電話装置から電話網を介して前記電話番号の第２の携帯電話装置に送信し、
前記表示制御部は、
前記接続情報を介して前記面談相手から接続があり、面談主催者と前記面談相手との面談に関するライブ配信の画面を前記第２の携帯電話装置の表示部に表示しようとしている前記第２の携帯電話装置のＷｅｂブラウザが第１のＷｅｂブラウザであった場合、面談に関するライブ配信の画面を表示部に表示すると共に、前記画面を前記第２の携帯電話装置の表示部に表示するよう制御し、
前記接続情報を介して前記面談相手から接続があり、前記第２の携帯電話装置のＷｅｂブラウザが前記第１のＷｅｂブラウザとは異なる第２のＷｅｂブラウザであった場合、所定の検索結果の画面を第１のＷｅｂブラウザで前記第２の携帯電話装置の表示部に表示するよう制御する、
情報処理装置。
【請求項７】
情報処理システムであって、
面談制御部と、表示制御部と、を有し、
面談相手の電話番号が入力された場合、前記面談制御部は、面談に関するライブ配信の接続情報を、携帯電話装置に送信し、
前記表示制御部は、
前記接続情報を介して前記面談相手から接続があり、面談主催者と前記面談相手との面談に関するライブ配信の画面を前記携帯電話装置の表示部に表示しようとしている前記携帯電話装置のＷｅｂブラウザが第１のＷｅｂブラウザであった場合、面談に関するライブ配信の画面を表示部に表示すると共に、前記画面を前記携帯電話装置の表示部に表示するよう制御し、
前記接続情報を介して前記面談相手から接続があり、前記Ｗｅｂブラウザが前記第１のＷｅｂブラウザとは異なる第２のＷｅｂブラウザであった場合、所定の検索結果の画面を第１のＷｅｂブラウザで前記携帯電話装置の表示部に表示するよう制御する、
情報処理システム。
【請求項８】
情報処理方法であって、
第１の工程と、第２の工程と、を含み、
面談相手の電話番号が入力された場合、前記第１の工程では、面談に関するライブ配信の接続情報を、携帯電話装置に送信し、
前記第２の工程では、
前記接続情報を介して前記面談相手から接続があり、面談主催者と前記面談相手との面談に関するライブ配信の画面を前記携帯電話装置の表示部に表示しようとしている前記携帯電話装置のＷｅｂブラウザが第１のＷｅｂブラウザであった場合、面談に関するライブ配信の画面を表示部に表示すると共に、前記画面を前記携帯電話装置の表示部に表示するよう制御し、
前記接続情報を介して前記面談相手から接続があり、前記Ｗｅｂブラウザが前記第１のＷｅｂブラウザとは異なる第２のＷｅｂブラウザであった場合、所定の検索結果の画面を第１のＷｅｂブラウザで前記携帯電話装置の表示部に表示するよう制御する、
情報処理方法。
【請求項９】
プログラムであって、
情報処理装置を、
面談制御部と、表示制御部と、して機能させ、
面談相手の電話番号が入力された場合、前記面談制御部は、面談に関するライブ配信の接続情報を、携帯電話装置に送信し、
前記表示制御部は、
前記接続情報を介して前記面談相手から接続があり、面談主催者と前記面談相手との面談に関するライブ配信の画面を前記携帯電話装置の表示部に表示しようとしている前記携帯電話装置のＷｅｂブラウザが第１のＷｅｂブラウザであった場合、面談に関するライブ配信の画面を表示部に表示すると共に、前記画面を前記携帯電話装置の表示部に表示するよう制御し、
前記接続情報を介して前記面談相手から接続があり、前記Ｗｅｂブラウザが前記第１のＷｅｂブラウザとは異なる第２のＷｅｂブラウザであった場合、所定の検索結果の画面を第１のＷｅｂブラウザで前記携帯電話装置の表示部に表示するよう制御する、
プログラム。
【発明の詳細な説明】
【技術分野】
【０００１】
本発明は、情報処理装置、情報処理システム、情報処理方法及びプログラムに関する。
【背景技術】
【０００２】
電話をしながら面談を行うためのシステムがある（特許文献１）。
【先行技術文献】
【特許文献】
【０００３】
【特許文献１】特開２０２０−３５４５０号公報
【発明の概要】
【発明が解決しようとする課題】
【０００４】
しかし、従来の技術では、コミュニケーション識別情報を入力してから面談の画面に遷移する必要があった。また、ＰＣ（Ｐｅｒｓｏｎａｌ  Ｃｏｍｐｕｔｅｒ）とＰＣとの間で面談を行うだけでなく、ＰＣと携帯電話との間で面談を行いたいという要望があった。
【課題を解決するための手段】
【０００５】
本発明の一態様によれば、情報処理装置であって、面談制御部と、表示制御部と、を有し、面談相手の電話番号が入力された場合、前記面談制御部は、面談に関するライブ配信の接続情報を、携帯電話装置に送信し、前記接続情報を介して前記面談相手から接続があった場合、前記表示制御部は、面談に関するライブ配信の画面を表示部に表示すると共に、前記画面を前記携帯電話装置の表示部に表示するよう制御する、情報処理装置が提供される。
【図面の簡単な説明】
【０００６】
【図１】図１は、情報処理システムのシステム構成の一例を示す図である。
【図２】図２は、サーバ装置のハードウェア構成の一例を示す図である。
【図３】図３は、ＰＣのハードウェア構成の一例を示す図である。
【図４】図４は、スマートフォンのハードウェア構成の一例を示す図である。
【図５】図５は、サーバ装置の機能構成の一例を示す図である。
【図６】図６は、サーバ装置の情報処理の一例を示すアクティビティ図である。
【図７】図７は、管理画面の一例を示す図である。
【図８】図８は、問い合わせ画面の一例を示す図である。
【図９】図９は、検索結果の画面の一例を示す図である。
【図１０】図１０は、スタート画面の一例を示す図である。
【発明を実施するための形態】
【０００７】
以下、図面を用いて本発明の実施形態について説明する。以下に示す実施形態中で示した各種特徴事項は、互いに組み合わせ可能である。
【０００８】
ところで、本実施形態に登場するソフトウェアを実現するためのプログラムは、コンピュータが読み取り可能な非一時的な記録媒体として提供されてもよいし、外部のサーバからダウンロード可能に提供されてもよいし、外部のコンピュータで当該プログラムを起動させてクライアント端末でその機能を実現（いわゆるクラウドコンピューティング）するように提供されてもよい。
【０００９】
また、本実施形態において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、例えば電圧・電流を表す信号値の物理的な値、０又は１で構成される２進数のビット集合体としての信号値の高低、又は量子的な重ね合わせ（いわゆる量子ビット）によって表され、広義の回路上で通信・演算が実行されうる。
【００１０】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１１】
＜実施形態１＞
１．システム構成
図１は、情報処理システム１０００のシステム構成の一例を示す図である。情報処理システム１０００は、システム構成として、サーバ装置１００と、ＰＣ１１０と、スマートフォン１２０と、スマートフォン１３０と、を含む。サーバ装置１００、ＰＣ１１０、スマートフォン１２０、スマートフォン１３０は、インターネット１５０を介して通信可能に構成されている。スマートフォン１２０と、スマートフォン１３０は、電話網１６０を介して通話可能に構成されている。ＰＣ１１０は、面談の主催者が使用する装置である。スマートフォン１３０は、面談を受ける利用者が使用する装置である。なお、面談には、商談が含まれるものとする。サーバ装置１００は、情報処理装置の一例である。また、サーバ装置１００と、スマートフォン１２０とは、連携されている。なお、図１では説明の簡略化のため省略してあるが、面談の主催者は電話装置を有し、面談の際は、音声は電話装置を用いて、画面はＰＣ１１０の後述する表示部３０５を介して行う。
【００１２】
２．ハードウェア構成
（１）サーバ装置１００のハードウェア構成
図２は、サーバ装置１００のハードウェア構成の一例を示す図である。サーバ装置１００は、ハードウェア構成として、制御部２０１と、記憶部２０２と、通信部２０３と、を含む。制御部２０１は、サーバ装置１００の全体を制御する。記憶部２０２は、プログラム及び制御部２０１がプログラムに基づき処理を実行する際に用いるデータ等を記憶する。制御部２０１が、記憶部２０２に記憶されたプログラムに基づき処理を実行することによって後述する図５に示すサーバ装置１００の機能構成及び後述する図６に示すアクティビティ図の情報処理が実現される。通信部２０３は、サーバ装置１００をインターネット１５０に接続し、外部装置との通信を司る。
【００１３】
（２）ＰＣ１１０のハードウェア構成
図３は、ＰＣ１１０のハードウェア構成の一例を示す図である。ＰＣ１１０は、ハードウェア構成として、制御部３０１と、記憶部３０２と、撮像部３０３と、入力部３０４と、表示部３０５と、通信部３０６と、を含む。制御部３０１は、ＰＣ１１０の全体を制御する。記憶部３０２は、プログラム及び制御部３０１がプログラムに基づき処理を実行する際に用いるデータ等を記憶する。制御部３０１が、記憶部３０２に記憶されたプログラムに基づき処理を実行することによってＰＣ１１０の機能構成が実現される。撮像部３０３は、被写体を撮像する。入力部３０４は、入力操作等に基づき入力情報を制御部３０１に送信する。表示部３０５は、制御部３０１による情報処理の結果等を表示する。通信部３０６は、ＰＣ１１０をインターネット１５０に接続し、外部装置との通信を司る。
【００１４】
（３）スマートフォン１２０のハードウェア構成
図４は、スマートフォン１２０のハードウェア構成の一例を示す図である。スマートフォン１２０は、ハードウェア構成として、制御部４０１と、記憶部４０２と、撮像部４０３と、入力表示部４０４と、通信部４０５と、を含む。制御部４０１は、スマートフォン１２０の全体を制御する。記憶部４０２は、プログラム及び制御部４０１がプログラムに基づき処理を実行する際に用いるデータ等を記憶する。制御部４０１が、記憶部４０２に記憶されたプログラムに基づき処理を実行することによってスマートフォン１２０の機能構成が実現される。撮像部４０３は、被写体を撮像する。入力表示部４０４は、入力操作などに基づき入力情報を制御部４０１に送信するとともに、制御部４０１による情報処理の結果等を表示する。通信部４０５は、スマートフォン１２０をインターネット１５０に接続し、外部装置との通信を司るとともに、スマートフォン１２０を電話網１６０に接続し、他のスマートフォン等との通話を司る。
【００１５】
３．機能構成
図５は、サーバ装置１００の機能構成の一例を示す図である。サーバ装置１００は、機能構成として面談制御部５０１と、表示制御部５０２と、を含む。
【００１６】
（面談制御部５０１）
面談制御部５０１は、面談の主催者の装置、本実施形態の例ではＰＣ１１０、と、面談を受ける利用者が使用する装置、本実施形態の例ではスマートフォン１３０、との面談に関する制御を行う。例えば、ＰＣ１１０の表示部３０５に表示されている後述する図７に示す画面において面談相手の電話番号が入力された場合、面談制御部５０１は、面談に関するライブ配信用のＵＲＬ（Ｕｎｉｆｏｒｍ  Ｒｅｓｏｕｒｃｅ  Ｌｏｃａｔｏｒ）を、電話番号で示されるスマートフォン１３０に送信する。面談に関するライブ配信用のＵＲＬは、面談に関するライブ配信用の接続情報の一例である。また、スマートフォン１３０は、携帯電話装置の一例である。
【００１７】
例えば、面談相手の電話番号が入力された場合、面談制御部５０１は、面談に関するライブ配信のＵＲＬを、サーバ装置１００と連携しているスマートフォン１２０から電話網１６０を介して、入力された電話番号のスマートフォン１３０に送信する。ここで、サーバ装置１００と連携している電話装置の一例としてスマートフォン１２０を例に説明を行ったが、固定電話であってもよい。また、サーバ装置１００は、他のサーバ装置が提供しているＷｅｂＡＰＩ（Ａｐｐｌｉｃａｔｉｏｎ  Ｐｒｏｇｒａｍｍｉｎｇ  Ｉｎｔｅｒｆａｃｅ）を介して、面談に関するライブ配信のＵＲＬを、入力された電話番号のスマートフォンに送信するようにしてもよい。
【００１８】
（表示制御部５０２）
表示制御部５０２は、ＰＣ１１０と、スマートフォン１３０との面談に関する表示の制御を行う。例えば、面談に関するライブ配信用のＵＲＬを介して面談相手から接続があった場合、表示制御部５０２は、面談に関するライブ配信の画面をＰＣ１１０の表示部３０５に表示すると共に、面談に関するライブ配信の画面をスマートフォン１３０の入力表示部４０４に表示するよう制御する。
【００１９】
サーバ装置１００が、面談制御部５０１と、表示制御部５０２と、を有することによって、ＰＣ１１０とスマートフォン１３０との間の面談を速やかに行うことができる。
【００２０】
４．情報処理
図６は、サーバ装置１００の情報処理の一例を示すアクティビティ図である。
Ａ６０１において、表示制御部５０２は、ＰＣ１１０において、管理画面を表示するための所定の操作が行われたか否かを判定する。表示制御部５０２は、ＰＣ１１０において、管理画面を表示するための所定の操作が行われたと判定すると、処理をＡ６０２に進める。表示制御部５０２は、ＰＣ１１０において、管理画面を表示するための所定の操作が行われなかったと判定すると、Ａ６０１の処理を繰り返す。
【００２１】
Ａ６０２において、表示制御部５０２は、ＰＣ１１０の表示部３０５に面談に関するライブ配信の管理画面を表示するよう制御する。図７は、管理画面の一例を示す図である。領域７０１は、ＰＣ１１０の撮像部３０３で撮像された面談の主催者の撮像画像が表示される。領域７０２は、面談相手の電話番号を入力する領域である。送信ボタン７０３は、領域７０２に入力された電話番号の宛先にＳＭＳ（Ｓｈｏｒｔ  Ｍｅｓｓａｇｅ  Ｓｅｒｖｉｃｅ：ショートメッセージサービス）で面談に関するライブ配信用のＵＲＬを送信するためのボタンである。送信ボタン７０３は、入力欄に入力された電話番号宛に接続情報を送るためのオブジェクトの一例である。リンク７０４は、面談相手にＳＭＳでＵＲＬを送ることが出来ない場合に選択するハイパーリンクである。リンク７０４が選択されると、表示制御部５０２は、ＰＣ１１０の表示部３０５にメールを送信するための画面を表示する。領域７０２において、面談相手の電話番号が入力され、送信ボタン７０３が選択された場合、面談制御部５０１は、面談に関するライブ配信用のＵＲＬを、スマートフォン１３０に送信する。
【００２２】
Ａ６０３において、表示制御部５０２は、領域７０２に電話番号が入力され、送信ボタン７０３が選択されたか否かを判定する。表示制御部５０２は、領域７０２に電話番号が入力され、送信ボタン７０３が選択されたと判定すると、処理をＡ６０４に進める。表示制御部５０２は、領域７０２に電話番号が入力されず、送信ボタン７０３も選択されていないと判定すると、Ａ６０３の処理を繰り返す。
【００２３】
Ａ６０４において、面談制御部５０１は、領域７０２において入力された電話番号宛にＳＭＳで面談に関するライブ配信用のＵＲＬを送信する。
Ａ６０５において、面談制御部５０１は、送信したＵＲＬがスマートフォン１３０において選択されたか否かを判定する。ＵＲＬが選択され、ＵＲＬ先のＷｅｂ画面を表示するＷｅｂブラウザがＳａｆａｒｉ（登録商標）の場合、面談制御部５０１は、処理をＡ６０６に進める。ＵＲＬが選択され、ＵＲＬ先のＷｅｂ画面を表示するＷｅｂブラウザがＣｈｒｏｍｅ（登録商標）の場合、面談制御部５０１は、処理をＡ６０７に進める。ＵＲＬが選択されていない場合、面談制御部５０１は、Ａ６０５の処理を繰り返す。Ｓａｆａｒｉは、第１のＷｅｂブラウザの一例である。Ｃｈｒｏｍｅは、第１のＷｅｂブラウザと異なる第２のＷｅｂブラウザの一例である。
【００２４】
Ａ６０６において、表示制御部５０２は、面談に関するライブ配信の画面をＰＣ１１０の表示部３０５に表示すると共に、面談に関するライブ配信の画面をスマートフォン１３０の入力表示部４０４に表示するよう制御する。
Ａ６０７において、表示制御部５０２は、Ｗｅｂブラウザを切り替えるか否かを問い合わせる問い合わせ画面をスマートフォン１３０の入力表示部４０４に表示するよう制御する。図８は、問い合わせ画面の一例を示す図である。問い合わせ画面には、そのままＣｈｒｏｍｅを使う場合に選択するボタン８０１と、Ｓａｆａｒｉに切り替える場合に選択するボタン８０２と、が含まれる。
【００２５】
すなわち、ＵＲＬを介して面談相手から接続があった場合、表示制御部５０２は、ＵＲＬ先のＷｅｂ画面をスマートフォン１３０の入力表示部４０４に表示しようとしているＷｅｂブラウザの種類に基づき異なる処理を実行する。
【００２６】
問い合わせ画面において、ボタン８０２が選択され、ＷｅｂブラウザとしてＳａｆａｒｉが選択された場合、Ａ６０８において、表示制御部５０２は、面談に関するライブ配信の技術を提供している会社名で検索を行った検索結果の画面をスマートフォン１３０の入力表示部４０４に表示するよう制御する。図９は、検索結果の画面の一例を示す図である。
【００２７】
検索結果の画面において、ＵＲＬ９０１が選択された場合、Ａ６０９において、表示制御部５０２は、スタート画面をスマートフォン１３０の入力表示部４０４に表示するよう制御する。スタート画面は、ＵＲＬ９０１が選択された際に最初に表示される画面であり、ホーム画面ともいう。図１０は、スタート画面の一例を示す図である。
【００２８】
スタート画面において、接続ナンバー発行ボタン１００１が選択されると、表示制御部５０２は、接続ナンバーを表示する画面をスマートフォン１３０の入力表示部４０４に表示するよう制御する。面談を受ける利用者は、面談の主催者と電話がつながった状態で、面談の主催者に接続ナンバーを伝える。面談の主催者が接続ナンバーを所定画面において入力すると、Ａ６１０において、表示制御部５０２は、面談に関するライブ配信の画面をＰＣ１１０の表示部３０５に表示すると共に、面談に関するライブ配信の画面をスマートフォン１３０の入力表示部４０４に表示するよう制御する。
【００２９】
本実施形態によれば、ＰＣ１１０とスマートフォン１３０との間の面談を速やかに行うことができる。
【００３０】
＜変形例＞
上述した実施形態では、サーバ装置１００の制御部２０１が処理を行うものとして説明を行った。しかし、制御部２０１が行う処理の一部、又はすべてをＰＣ１１０が行うようにしてもよい。
【００３１】
＜付記＞
次に記載の各態様で提供されてもよい。
前記情報処理装置において、前記接続情報を介して前記面談相手から接続があった場合、前記表示制御部は、前記画面を前記携帯電話装置の表示部に表示しようとしているＷｅｂブラウザの種類に基づき異なる処理を実行する、情報処理装置。
前記情報処理装置において、前記接続情報を介して前記面談相手から接続があり、前記Ｗｅｂブラウザが第１のＷｅｂブラウザであった場合、前記表示制御部は、前記画面を前記携帯電話装置の表示部に表示するよう制御し、前記接続情報を介して前記面談相手から接続があり、前記Ｗｅｂブラウザが前記第１のＷｅｂブラウザとは異なる第２のＷｅｂブラウザであった場合、前記表示制御部は、Ｗｅｂブラウザを切り替えるか否かを問い合わせる画面を前記携帯電話装置の表示部に表示するよう制御する、情報処理装置。
前記情報処理装置において、前記Ｗｅｂブラウザを切り替えるか否かを問い合わせる画面において、Ｗｅｂブラウザを切り替えることが選択され、前記第１のＷｅｂブラウザが選択された場合、前記表示制御部は、所定の会社名で検索を行った検索結果の画面を前記携帯電話装置の表示部に表示するよう制御する、情報処理装置。
前記情報処理装置において、前記表示制御部は、電話番号を入力する入力欄と、前記入力欄に入力された電話番号宛に前記接続情報を送るためのオブジェクトと、を含む画面を前記表示するに表示するよう制御し、前記画面の前記入力欄に面談相手の電話番号が入力され、前記オブジェクトが選択された場合、前記面談制御部は、面談に関するライブ配信の接続情報を、前記携帯電話装置に送信する、情報処理装置。
前記情報処理装置において、前記面談制御部は、面談に関するライブ配信の接続情報を、ショートメッセージサービスで、携帯電話装置に送信する、情報処理装置。
通信部を有する情報処理装置であって、面談制御部と、表示制御部と、を有し、前記通信部は、インターネットを介して他の装置と通信可能に構成され、面談相手の電話番号が入力された場合、前記面談制御部は、面談に関するライブ配信の接続情報を、連携している第１の携帯電話装置から電話網を介して前記電話番号の第２の携帯電話装置に送信し、前記接続情報を介して前記面談相手から接続があった場合、前記表示制御部は、面談に関するライブ配信の画面を表示部に表示すると共に、前記画面を、前記インターネットを介して前記携帯電話装置の表示部に表示するよう制御する、情報処理装置。
情報処理システムであって、面談制御部と、表示制御部と、を有し、面談相手の電話番号が入力された場合、前記面談制御部は、面談に関するライブ配信の接続情報を、携帯電話装置に送信し、前記接続情報を介して前記面談相手から接続があった場合、前記表示制御部は、面談に関するライブ配信の画面を表示部に表示すると共に、前記画面を前記携帯電話装置の表示部に表示するよう制御する、情報処理システム。
情報処理方法であって、第１の工程と、第２の工程と、を含み、面談相手の電話番号が入力された場合、前記第１の工程では、面談に関するライブ配信の接続情報を、前記通信部を介して前記携帯電話装置に送信し、前記接続情報を介して前記面談相手から接続があった場合、前記第２の工程では、面談に関するライブ配信の画面を表示部に表示すると共に、前記画面を前記携帯電話装置の表示部に表示するよう制御する、情報処理方法。
プログラムであって、情報処理装置を、面談制御部と、表示制御部と、して機能させ、面談相手の電話番号が入力された場合、前記面談制御部は、面談に関するライブ配信の接続情報を、携帯電話装置に送信し、前記接続情報を介して前記面談相手から接続があった場合、前記表示制御部は、面談に関するライブ配信の画面を表示部に表示すると共に、前記画面を前記携帯電話装置の表示部に表示するよう制御する、プログラム。
もちろん、この限りではない。
【００３２】
例えば、上述のプログラムを記憶する、コンピュータ読み取り可能な非一時的な記憶媒体として提供してもよい。
また、上述した実施形態及び変形例を任意に組み合わせて実施するようにしてもよい。
また、上述した実施形態等では、サーバ装置１００が画面を生成してスマートフォン１２０及びスマートフォン１３０に送信する例を示した。しかし、サーバ装置１００は、画面を生成するためのデータをスマートフォン１２０及びスマートフォン１３０に送信し、そのデータを受け取ったスマートフォン１２０及びスマートフォン１３０がデータに基づき画面を生成するようにしてもよい。
【００３３】
最後に、本発明に係る種々の実施形態を説明したが、これらは、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態及びその変形は、発明の範囲及び要旨に含まれると共に、特許請求の範囲に記載された発明とその均等の範囲に含まれるものである。
【符号の説明】
【００３４】
１００    ：サーバ装置
１２０    ：スマートフォン
１３０    ：スマートフォン
１５０    ：インターネット
１６０    ：電話網
２０１    ：制御部
２０２    ：記憶部
２０３    ：通信部
３０１    ：制御部
３０２    ：記憶部
３０３    ：撮像部
３０４    ：入力部
３０５    ：表示部
３０６    ：通信部
４０１    ：制御部
４０２    ：記憶部
４０３    ：撮像部
４０４    ：入力表示部
４０５    ：通信部
５０１    ：面談制御部
５０２    ：表示制御部
７０１    ：領域
７０２    ：領域
７０３    ：送信ボタン
７０４    ：リンク
８０１    ：ボタン
８０２    ：ボタン
９０１    ：ＵＲＬ
１０００  ：情報処理システム
１００１  ：接続ナンバー発行ボタン
【要約】      （修正有）【課題】ＰＣと携帯電話との間で面談を行う情報処理装置、情報処理システム、情報処理方法及びプログラムを提供する。【解決手段】情報処理システム１０００において、情報処理装置（サーバ装置１００）は、面談制御部と、表示制御部と、を有する。面談相手の電話番号が入力された場合、面談制御部は、面談に関するライブ配信の接続情報を、携帯電話装置に送信し、接続情報を介して面談相手から接続があった場合、表示制御部は、面談に関するライブ配信の画面を表示部に表示すると共に、画面を携帯電話装置（スマートフォン１３０）の表示部に表示するよう制御する。【選択図】図１【図１】
0006824458.tif 000002
【図２】
0006824458.tif 000003
【図３】
0006824458.tif 000004
【図４】
0006824458.tif 000005
【図５】
0006824458.tif 000006
【図６】
0006824458.tif 000007
【図７】
0006824458.tif 000008
【図８】
0006824458.tif 000009
【図９】
0006824458.tif 000010
【図１０】
0006824458.tif 000011